(57)【要約】【課題】内部容積を確保しながら小型化した撮影装置を提供する。また、装置本体を大型化することなく、アクセサリと通信可能な撮影装置を提供する。【解決手段】装置本体を支持する支持部材が着脱可能に装着される撮影装置であって、前記支持部材に形成されたネジ部と係合する貫通形状のネジ穴部を備えた取付部材と、この取付部材が固定されるメインシャーシと、前記取付部材と前記メインシャーシとの間に前記ネジ穴部の端部を覆う受部材を有することを特徴とする撮影装置。【選択図】  図６
2004325987.tif 000002
【特許請求の範囲】
【請求項１】
装置本体を支持する支持部材が着脱可能に装着される撮影装置であって、
前記支持部材に形成されたネジ部と係合する貫通形状のネジ穴部を備えた取付部材と、
この取付部材が固定されるメインシャーシと、
前記取付部材と前記メインシャーシとの間に前記ネジ穴部の端部を覆う受部材を有することを特徴とする撮影装置。
【発明の詳細な説明】
【０００１】
【産業上の利用分野】
本発明は、三脚等のアクセサリを取り付けることが可能な撮影装置に関するものであり、詳しくはアクセサリを取り付けるための構造に関するものである。
【０００２】
【従来の技術】
近年のデジタルスチルカメラは、記録媒体を使った記録再生機能による低ランニングコストの実現および小型軽量化によって、需要が大きくなっている。一方、カメラの底面には、三脚を取り付けるための取付部材が設けられており、この取付部材には三脚に設けられたネジ部をねじ込むためのネジ穴部が形成されている。
【０００３】
この取付部材について、図８及び図９を用いて説明する。ここで、図８は、取付部材をカメラの内部構造体であるメインシャーシに取り付けた状態を示した図であり、図９は、取付部材の厚み方向における断面図である。
【０００４】
取付部材１１８は、メインシャーシ１０９、ボトムプレート１１９、カメラの外装である不図示のＦカバー及びＲカバーに対してビス止めされている。メインシャーシ１０９は、小型軽量化を考慮して薄い鋼板により構成されている。
【０００５】
図９に示すように、取付部材１１８には、ネジ穴部１２１が形成されており、このネジ穴部１２１に不図示の三脚に設けられたネジ部をねじ込むことにより、カメラが三脚に固定される。
【０００６】
ここで、ネジ穴部１２１は、取付部材１１８に設けられた凹部にタップをねじ込むことにより形成されるため、この凹部の底部近傍に形成されるネジ溝の領域は、不完全ネジ部１２１ａとなる。したがって、ネジ穴部１２１に三脚のネジ部をねじ込むと、このネジ部が不完全ネジ部１２１ａに食いついてしまい取り外しが困難となるおそれがある。
【０００７】
そこで、凹部の底面に不完全ネジ部１２１ａが形成された領域と略同一の高さを有する半球状の突起部１２１ｂを予め設けておき、三脚のネジ部が不完全ネジ部１２１ａに入り込むのを防止している。つまり、ネジ穴部１２１に三脚のネジ部をねじ込んでいくと、このネジ部の先端部が突起部１２１ｂに当接し、不完全ネジ部１２１ａに入り込むのを防止する。
【０００８】
また、従来、カメラ本体の上部にホットシューと呼ばれる接点部を設け、この接点部に外付けのストロボを取り付けることができるカメラが提案されている。
【０００９】
更に、カメラ本体の内部にリモコン受信部を設け、リモコン操作により各種の遠隔操作を可能にしたカメラが提案されている。
【００１０】
【特許文献１】
特開２００２−００６３８１号公報（第３頁、図３，図５）
【００１１】
【発明が解決しようとする課題】
しかし、通常のタップを使用した場合、タップの先端部が突起部１２１ｂに突き当たり必要なネジ部の加工が困難となる。このため、突起部１２１ｂとの干渉を避けた特殊タップを用いてネジ穴部１２１を形成する必要があるが、特殊タップを使用すると加工コストが高くなるおそれがある。
【００１２】
また、取付部材１１８の板厚は、ネジ穴部１２１、突起部１２１ｂ及び天井部１２２の合算となり厚くなるため、カメラの内部容積を狭めるばかりでなく、カメラの大型化を招くおそれがある。
【００１３】
さらに、上述のようにカメラに外付けのストロボを取り付ける場合、ストロボを支えるために接点部の周辺の板厚を厚くしなければならないため、カメラの大型化を招くおそれがある。
【００１４】
また、カメラ本体の内部にリモコン受信部を設けた場合、このリモコン受信部を配置するためのスペースを確保しなければならないため、カメラが大型化するおそれがある。
【００１５】
そこで、本発明の第１の目的は、内部容積を確保しながら小型化した撮影装置を提供することにある。
【００１６】
また、本発明の第２の目的は、装置本体を大型化することなく、アクセサリと通信可能な撮影装置を提供することにある。
【００１７】
【課題を解決するための手段】
上記課題を解決するために、本発明の撮影装置は、装置本体を支持する支持部材が着脱可能に装着される撮影装置であって、支持部材に形成されたネジ部と係合する貫通形状のネジ穴部を備えた取付部材と、この取付部材が固定されるメインシャーシと、取付部材とメインシャーシとの間にネジ穴部の端部を覆う受部材を有することを特徴とする。
【００１８】
【発明の実施の形態】
（第１実施形態）
図１は本発明の第１実施形態であるカメラ（撮影装置）１の底面斜視図である。同図において、２は撮影画像データを記録するためのＳＤメモリーカード（以下「ＳＤカード」と略す。）であり、このＳＤカード２は、カメラ１の底面に設けられたＳＤスロット７に収納される。
【００１９】
また、カメラ１の底面には、ＳＤスロット７に隣接して電池室５が設けられており、この電池室５には電池３が収納される。
【００２０】
４は、ＳＤスロット７及び電池室５の開口部を覆い、ＳＤカード２と電池３を保護する底蓋であり、この底蓋４は、カメラ１の外装の一部を成している。６は、電池３を電池室５内に収納した状態でロックするための電池ロックであり、この電池ロック６は、樹脂材により構成されており、電池室５の開口部の近傍に回動可能に支持されている。
【００２１】
８はカメラ１の外装のうち前面側を構成するＦカバーであり、９は背面側を構成するＲカバーである。Ｆカバー８及びＲカバー９は、金属で構成されている。１０は不図示の三脚（アクセサリ）を取り付けるための取付部材であり、詳細については後述する。
【００２２】
次に、ＳＤカード２をＳＤスロット７から取り出す際の手順について図１を用いて説明する。
【００２３】
ＳＤカード２を取り出す場合、先ず底蓋４を矢印Ａ方向にスライドさせた後、矢印Ｂ方向に回動させて図１の状態にする。
【００２４】
次に、ＳＤカード２の端面２ａを矢印Ｃ方向に押し込んで、ＳＤスロット７とＳＤスロット７の底面に設けられた不図示の排出バネとの係合を解除する。係合が解除されると、ＳＤカード２は排出バネの付勢力を受けてＳＤスロット７から排出される。
【００２５】
ＳＤカード２をＳＤスロット７に挿入する場合も上述したＳＤカード２の取り出し操作と同様に、ＳＤカード２を矢印Ｃ方向に押し込めばよい。これにより、排出バネがＳＤスロット７に係合し、ＳＤカード２はＳＤスロット７内に収納されることになる。上述したＳＤカード２の排出機構は、いわゆるプッシュプッシュ方式となっている。
【００２６】
次に、電池３を電池室５から取り出す際の手順について、図１及び図３を用いて説明する。図３はカメラ１の底面斜視図である。
【００２７】
まず、ＳＤカード２を取り出す場合と同様に、底蓋４を矢印Ａ方向にスライドさせた後、矢印Ｂ方向に回動させて図１の状態にする。
【００２８】
次に、電池ロック６に形成された凸状の操作部６ａに指を引っかけて電池ロック６を矢印Ｄ方向に回動させることにより、電池ロック６による電池３のロックを解除する。ここで、電池ロック６は、付勢バネ１９により矢印Ｆ方向に付勢されている。
【００２９】
電池３のロックが解除されると、電池３は、電池室５に設けられた不図示の排出バネの付勢力を受けて電池室５から排出される。
【００３０】
次に、カメラ１の構成について図２を用いて説明する。図２はカメラ１の光軸方向の概略断面図である。１１は、カメラ１の内部構造体であるメインシャーシであり、このメインシャーシ１１は、小型軽量化のために薄い鋼板で構成されている。
【００３１】
１２は信号処理基板、１３は不図示の固体撮像素子や撮影レンズ等が搭載されたレンズ鏡筒である。このレンズ鏡筒１３は、光軸方向に繰り出したり繰り込んだりすることにより、撮影光学系の焦点距離を変更する。１４はＳＤスロット７が実装された電源回路基板、１５は、固体撮像素子によって撮像された画像などが表示される液晶パネルである。
【００３２】
１６はシャッター音などの操作音を発するとともに音声再生に使用されるスピーカー、１７はレンズ鏡筒１３を駆動するための鏡筒駆動回路、１８はＲカバー９に接着固定された樹脂製のＲインナーである。
【００３３】
メインシャーシ１１は、曲げ部１１ａ、１１ｂ、１１ｃを有しており、これらの曲げ部１１ａ〜１１ｃのうち両端に位置する曲げ部１１ａ、１１ｂは、Ｆカバー８及びＲカバー９に対して不図示のビスによりビス止めされている。
【００３４】
電池室５は、メインシャーシ１１に不図示のビスによりビス止めされているとともに、端面５ｃにおいてＦカバー８及びＲカバー９に不図示のビスによりビス止めされている。
【００３５】
このように、メインシャーシ１１は、３箇所のコの字状の曲げ部１１ａ、１１ｂ、１１ｃを有しているため、板厚を薄くしても、強度上の問題が生じにくい。
【００３６】
また、メインシャーシ１１は、この両端の曲げ部１１ａ、１１ｂが外装であるＦカバー８及びＲカバー９に対してビス止めされているため、メインシャーシ１１の中央部における折れ曲がりや、カメラ１の左右側面に加えられるストレス（外力）に対して堅固な構造となっている。
【００３７】
ＳＤカード２の収納部であるＳＤスロット７や電池室５の不図示の電池接片は、電源回路基板１４に対して半田付けされており、この電源回路基板１４は、電池室５にビス止めされている。このようにＳＤスロット７を電源回路基板１４を介して堅固な電池室５に取り付けることで、ＳＤスロット７を堅固に固定することができる。
【００３８】
また、電源回路基板１４に設けられた電源ＧＮＤパターン（電池３のＧＮＤ端子と接触する不図示の電池接片が半田付けされているパターン）が、曲げ部１１ｅにおいてメインシャーシ１１と電気的に導通している。これにより、メインシャーシ１１、Ｆカバー８及びＲカバー９がＧＮＤ電位となるため、静電気の低減、不要輻射ノイズの低減、外来電磁波に対するシールド効果の向上を図ることができる。
【００３９】
ＳＤスロット７のうちカメラ１の背面側は、メインシャーシ１１の曲げ部１１ｂ、１１ｃ、１１ｄによって形成された略コの字状の領域で囲まれている。これにより、図２の矢印Ｅ方向から加えられる外圧などの機械的ストレスや静電気などの電気的ストレスから、ＳＤカード２に記録された画像データを保護することができる。
【００４０】
液晶パネル１５とＳＤスロット７との間には、空間部が形成されており、この空間部にはスピーカー１６が配置されている。これにより、カメラ１内に形成された空間部を有効に活用することができるため、カメラ１を小型化することができる。
【００４１】
次に、操作者が誤ってカメラを落下させてしまった場合などのようにカメラに外力が加わったときの電池ロック６及び底蓋４の動作について図３、図４、図５を用いて説明する。
【００４２】
ここで、図４は電池ロック６の外観斜視図であり、図５は電池ロック６とその周辺の電池室５との構成を示したカメラ１の上下方向断面図である。
【００４３】
電池ロック６の上面には、矢印Ｇ方向（カメラ１の上下方向）に突出した段差形状のストッパ６ｃが形成されており、このストッパ６ｃが電池室５に形成され、矢印Ｇ方向と略平行な端面５ａに当接することにより、電池ロック６の矢印Ｄ方向への回動が抑制される。
【００４４】
つまり、カメラ１に衝撃が加わり電池３が収納位置から矢印Ｇ方向に移動すると、電池３に当接している電池ロック６は図５に示す位置から矢印Ｇ方向に押し上げられる。これにより、ストッパ６ｃは、電池室５の端面５ａに対してオーバーラップする位置（ストッパ６ｃの上面６ｄが電池室５の端面５ｂより図５中において上側となる位置）となる。
【００４５】
このとき、ストッパ６ｃと電池室５の端面５ａとの間には、図３の矢印Ｄ方向（図５の紙面に直交する方向）において隙間があるため、落下時の衝撃等により電池ロック６が矢印Ｄ方向に回動することもあるが、ストッパ６ｃは電池室５の端面５ａに当接することでこの回動が抑制される。
【００４６】
ここで、電池ロック６の回動量は僅かであるため、矢印Ｄ方向に回動する電池ロック６が底蓋４に当接して、底蓋４が矢印Ａ方向にスライドするおそれは少ない。したがって、カメラ１に落下などによる衝撃が加わった場合に、底蓋４が開いて電池３が電池室５から飛び出すのを防止できる。
【００４７】
通常の使用時には、上述のように電池３から力を受けて、電池ロック６が矢印Ｇ方向に撓むおそれは少ないため、図５に示すように、カメラ１の底面に対して略平行な電池室５の端面５ｂとストッパ６ｃの上面６ｄとの間には、約０．２ｍｍの隙間ができる。つまり、ストッパ６ｃと電池室５の端面５ａとは、通常の使用時には互いに当接しないようになっている。
【００４８】
ここで、操作者が電池３を取り出すために、電池ロック６の操作部６ａに指を引っかけて矢印Ｄ方向に回動させるとき、電池ロック６は、操作者の指によって押し込まれて矢印Ｈ方向に撓む。
【００４９】
これにより、端面５ｂと上面６ｄとの隙間（カメラ１の上下方向における隙間）が０．２ｍｍより大きくなるため、電池ロック６と電池室５との干渉がより一層防止され、電池ロック６を矢印Ｄ方向にスムーズに回動させることができる。
【００５０】
次に、本実施形態の取付部材について図６を用いて説明する。図６は取付部材の構成を説明するための概略斜視図である。
【００５１】
取付部材１０の略中央には、この取付部材１０を貫通する貫通ネジ穴部１０ａが形成されており、この貫通ネジ穴部１０ａには、不図示の三脚に設けられたネジ部がねじ込まれる。取付部材１０の上面には、不図示のビスをねじ込むためのビス穴部１０ｂが４つ形成されている。
【００５２】
メインシャーシ１１には、取付部材１０を取り付けるための曲げ部１１ｇ（第１の取付面）、１１ｆ（第２の取付面）が設けられている。
曲げ部１１ｇには、取付部材１０の上面に設けられた各ビス穴部１０ｂに対応したビス止め部１１ｈが４つ（１つは不図示）形成されている。曲げ部１１ｆの図６中右側端部には、取付部材１０に設けられたビス穴部（ビス穴部１０ｂとは異なるビス穴部）に対応したビス止め部１１ｉが形成されている。
【００５３】
メインシャーシ１１は、亜鉛メッキ鋼板で構成され、厚さ（ｄ２）が０．５ｍｍとなっている。
【００５４】
取付部材１０と曲げ部１１ｇとの間には、曲げ部１１ｇと略同一形状に形成された天板２０が挟まれており、この天板２０には、不図示のビスを通すための穴部２０ａ（ビス穴部１０ｂに対応）が４つ形成されている。天板２０は、ＳＵＳ材で構成されており、厚さ（ｄ１）が０．６ｍｍとなっている。
【００５５】
ここで、貫通ネジ穴部１０ａに三脚のネジ部をねじ込んだとき、ネジ部の先端が突き当たる箇所（当接部分）は、その強度を強くしておかなければならない。
三脚には、ネジ部の長さを自由に調整できるものがあり、操作者が誤ってネジ部の長さを貫通ネジ穴部１０ａの長さよりも長くしてしまった場合には、このネジ部を貫通ネジ穴部１０ａにねじ込んだ際に、ネジ部によって上記の当接部分が変形してしまうことがある。このように上記の当接部分が変形すると、カメラ内に配置された部品が損傷してしまうおそれがある。
【００５６】
本実施形態では、貫通ネジ穴部１０ａの一端（ネジ部が挿入される側とは反対側）を、メインシャーシ１１の材料よりも機械的強度が高いＳＵＳ材で構成された天板２０で覆い、この天板２０にネジ部の先端が突き当たる構成としている。
【００５７】
これにより、ネジ部の先端が天板２０に突き当たっても、天板２０が変形するのを抑制でき、上述のようにカメラ内の部品が損傷してしまうこともない。
【００５８】
ここで、天板２０を使用せずにメインシャーシ１１（曲げ部１１ｇ）のみで三脚のネジ部の突き当て強度を確保しようとすると、メインシャーシ１１の板厚を単純計算（メインシャーシ１１を天板２０の材料であるＳＵＳ材により構成した場合）でも１．１ｍｍにする必要がある。実際には、メインシャーシ１１は、ＳＵＳ材よりも機械的強度が低い亜鉛めっき鋼板により構成されているため、１．１ｍｍ以上の板厚が必要とされる。
【００５９】
本実施形態では、ネジ部の突き当て強度を確保するために天板２０を用いているため、メインシャーシ１１（曲げ部１１ｇ）の厚みを薄くすることができる。ここで、天板２０の厚み（ｄ１＝０．６）とメインシャーシ１１（曲げ部１１ｇ）の厚み（ｄ２＝０．５）の総和は、天板を用いずにメインシャーシの厚みを厚くした場合（厚みが１．１ｍｍ以上）に比べて薄くなるため、カメラ１の小型化（カメラ１の上下方向の小型化）や軽量化を図ることができる。
【００６０】
また、本実施形態では、貫通ネジ穴部１０ａの一端を、ＳＵＳ材で構成された天板２０で覆っているため、カメラ１の外側から（貫通ネジ穴部１０ａを介して）メインシャーシ１１が見えないようにすることができる。
【００６１】
メインシャーシ１１は亜鉛メッキ鋼板で構成されているため、カメラ１の外部から貫通ネジ穴部１０ａを介してメインシャーシ１１が見えるような構成では、カメラ１の外観上の見栄えが良くない。そこで、ＳＵＳ材で構成された天板２０が貫通ネジ穴部１０ａを介して外部から見えるようにすることで、メインシャーシ１１が露出する場合に比べてカメラ１の外観上の見栄えが良くなる。
【００６２】
一方、天板２０を用いない構成において、亜鉛メッキ鋼板で構成されたメインシャーシ１１の露出部分にピンホールが形成された場合には、この部分に経年変化により錆が発生するおそれがある。本実施形態では、上述のようにＳＵＳ材により構成された天板２０（一部）を露出させているため、亜鉛メッキ鋼板に比べて錆の発生を軽減することができ、錆によって天板の強度が低下することもなくなる。
【００６３】
また、本実施形態では、貫通ネジ穴部１０ａが取付部材１０を貫通しているため、タップ加工によって貫通ネジ穴部１０ａを形成する際の加工が容易となる。
これにより、加工タクトタイムが大幅に短縮され、コストダウンを図ることができる。
【００６４】
さらに、取付部材１０を貫通する穴部にタップ加工を行うことによって形成される貫通ネジ穴部１０ａは、全て完全ネジ穴部として構成される（不完全ネジ穴部が存在しない）。これにより、従来例のように、不完全ネジ穴部に三脚のネジ部が入り込むのを防止するために突起部を設ける必要がなくなり、取付部材１０の板厚（図１の矢印Ｃ方向の厚み）を薄くすることができる。
【００６５】
なお、取付部材１０をメインシャーシ１１に固定する方法として、曲げ部１１ｇ、１１ｆを設けずに、取付部材１０の側面をメインシャーシ１１に直接固定するという方法もある。
【００６６】
しかし、この方法では、曲げ部１１ｇがなく、三脚のネジ部の衝突を天板２０のみで支えることになるため、天板２０の板厚を厚くしなければならない。したがって、カメラの内部容積を狭め、カメラの大型化を招くおそれがある。
【００６７】
また、天板２０を取付部材１０に強固に固定する必要があるため、ビスを４本以上使用しなければならない。
【００６８】
さらに、三脚が取り付けられたカメラにねじるなどの外的ストレスが加わった場合、取付部材１０の側面をメインシャーシ１１に直接固定するよりも、天板２０を介して曲げ部１１ｇに固定したほうが、取付部材１０がメインシャーシ１１に強固に固定されることが実験によりわかっている。
【００６９】
（第２実施形態）
本発明の第２実施形態であるカメラについて図７を用いて説明する。なお、第１実施形態で説明した部材と同じ部材については同一符号を付して説明を省略する。
【００７０】
天板４１の略中央には、この天板４１を貫通し、後述する光ファイバ４４ｂを通すための穴部４１ａが設けられている。
【００７１】
カメラ１内には、信号検出部４２が設けられており、この信号検出部４２は、カメラ１内のＣＰＵ４３に接続されている。
【００７２】
４４は後述するアクセサリに設けられた取付部であり、この取付部４４には貫通ネジ穴部１０ａに係合するネジ部４４ａが設けられている。取付部４４の略中央には、通信用コンタクトとしての光ファイバ４４ｂが図中上下方向に延びるように配置されている。この光ファイバ４４ｂは、一端がアクセサリ内のＣＰＵ４５に接続されているとともに、他端がネジ部４４ａの先端から突出している。
【００７３】
なお、通信用コンタクトは、光ファイバ４４ｂに限定されず、例えば電気接点式にしてもよい。
【００７４】
上記のアクセサリが外付けのストロボの場合、ストロボに設けられたネジ部４４ａを取付部材１０の貫通ネジ穴部１０ａに取り付けることにより、カメラ１のＣＰＵ４３とストロボのＣＰＵ４５とが通信可能に接続される。
【００７５】
すなわち、ストロボのネジ部４４ａを貫通ネジ穴部１０ａに係合させると、ネジ部４４ａの先端から突出した光ファイバ４４ｂが、天板４１の穴部４１ａを貫通して信号検出部４２に接触することにより、カメラ１及びストロボ間の通信が可能となる。
【００７６】
上述した構成においてＣＰＵ４３は、例えば、カメラ１に内蔵されたストロボの発光を禁止するとともに、発光開始や停止などのコントロール信号を光ファイバ４４ｂを介して外付けストロボのＣＰＵ４５に伝送することができる。つまり、カメラ１の内蔵ストロボよりも外付けストロボの方がガイドナンバーが大きい場合、内蔵ストロボの発光を禁止して、外付けストロボの発光を優先して行わせることができる。
【００７７】
従来技術では、ストロボをカメラ１（の上部）に外付けする場合、取り付け箇所の周辺部の板厚を厚くしなければならなかったため、カメラ１が大型化してしまう。
【００７８】
本実施形態では、第１実施形態で説明したように強度上の問題が生じにくい取付部材１０に外付けストロボを取り付けているため、上述のように外付けストロボが取り付ける部分の板厚を厚くする必要がなく、カメラ１を小型化することができる。
【００７９】
一方、上記のアクセサリがリモコン受信部の場合も、リモコン受信部に形成されたネジ部４４ａをカメラ１の貫通ネジ穴部１０ａに係合させることで、カメラ１のＣＰＵ４３とリモコン受信部のＣＰＵ４５とが通信可能に接続される。
【００８０】
上述した構成では、例えば、カメラ１が撮影モードに設定されている場合、不図示のリモコンから発せられたレリーズ信号をリモコン受信部が受信し、この受信した信号が光ファイバ４４ｂを介してカメラ１（ＣＰＵ４３）に伝送されるため、遠隔操作にてレリーズ動作を行わせることができる。
【００８１】
また、カメラ１が再生モードに設定されている場合、リモコンから発せられたコマ送り、スライドショーなどの再生動作信号をリモコン受信部が受信し、この受信した信号が光ファイバ４４ｂを介してカメラ１（ＣＰＵ４３）に伝送されるため、遠隔操作にて各種の再生動作を行わせることができる。
【００８２】
本実施形態によれば、リモコン受信部をカメラ１の外側に配置することができるため、カメラ１の内部に配置する場合に比べてカメラ１を小型化することができる。
【００８３】
上記各実施形態では、デジタルスチルカメラについて説明したが、デジタルビデオカメラや銀塩フィルムカメラなどの撮影装置にも適用することができる。
【００８４】
さらに、以上説明した各実施形態は、以下に示す各発明を実施した場合の一例でもあり、下記の各発明は上記実施形態に様々な変更や改良が加えられて実施されるものである。
【００８５】
〔発明１〕  アクセサリが着脱可能に装着される撮影装置であって、
前記アクセサリに形成されたネジ部と係合する貫通形状のネジ穴部を備えた取付部材と、
この取付部材が固定されるメインシャーシと、
前記ネジ穴部における前記ネジ部が挿入される側とは反対側の端部を覆い、前記ネジ部の端部が突き当たることによって所定量以上挿入されるのを阻止する受部材とを有することを特徴とする特徴とする撮影装置。
【００８６】
このように、ネジ穴部に挿入されるネジ部は、所定量以上挿入されないように受部材によって阻止されるため、ネジ部から力を受けることによりメインシャーシが変形したりするおそれは少ない。したがって、メインシャーシの厚みを薄くすることにより、撮影装置を小型化したり軽量化したりすることができる。
【００８７】
また、取付部材に形成されたネジ穴部は貫通形状であるため、従来例のように取付部材に突起部や天井部を設ける必要がない。したがって、取付部材の厚みを薄くできるため、撮影装置を小型化したり軽量化したりすることができる。
【００８８】
〔発明２〕  前記メインシャーシの一部を折り曲げることにより形成した第１の取付面と、この第１の取付面とは別の場所に前記メインシャーシの一部を折り曲げて形成した第２の取付面とを有し、前記第１の取付面には、前記受部材が固定され、前記第２の取付面には前記取付部材が固定されることを特徴とする発明１に記載の撮影装置。
【００８９】
このように、取付部材は、受部材を介して第１の取付面に固定されるとともに第２の取付面にも固定されているため、メインシャーシにしっかりと固定される。したがって、アクセサリを取付部材に取り付けた際に、取付部材に負荷がかかって、メインシャーシへの取り付けが緩んだりするおそれを少なくすることができる。
【００９０】
また、第１の取付面には、ネジ部が突き当たらないように受部材が取り付けられている。これにより、第１の取付面の厚みをその他のメインシャーシの部分の厚みと同様にすることができる。
【００９１】
〔発明３〕  前記受部材の板厚が、前記メインシャーシより厚いことを特徴とする発明１又は２に記載の撮影装置。
【００９２】
〔発明４〕  前記装置本体は、前記取付部材に前記アクセサリが取り付けられることにより前記アクセサリと通信可能であり、
前記受部材が、前記装置本体と前記アクセサリとを通信可能に接続する接続部材を通すための穴部を有することを特徴とする発明１から３のいずれかに記載の撮影装置。
【００９３】
【発明の効果】
以上説明したように、本発明によれば、支持部材に形成されたネジ部がつきあたる箇所に板状部材を配置することにより装置本体の剛性を確保しているため、メインシャーシの板厚を薄くすることができ、撮影装置の小型化及び軽量化を図ることができる。
【００９４】
また、取付部材に形成されたネジ穴部は貫通形状であるため、タップ加工の際に必要な突起部やこの突起部を支持する天井部が不要となるため、撮影装置の小型化及び軽量化を図ることができる。
【００９５】
また、外付けされるアクセサリの重みを考慮して装置本体の板厚を厚くする必要がないため、撮影装置を小型化することができる。
【００９６】
更に、リモコン受信部を装置本体の外側に設けることができるため、撮影装置を小型することができる。
【図面の簡単な説明】
【図１】本発明の第１の実施形態である撮影装置の概略斜視図である。
【図２】上記の撮影装置の概略断面図である。
【図３】上記の撮影装置の概略斜視図（拡大図）である。
【図４】上記の撮影装置における電池ロックの概略斜視図である。
【図５】上記の電池ロックとこの周辺部分における概略断面図である。
【図６】本発明の第１実施形態におけるメインシャーシの概略斜視図である。
【図７】本発明の第２実施形態であるカメラとアクセサリとの接続を説明するための概略断面図である。
【図８】従来のカメラにおけるメインシャーシの概略斜視図である。
【図９】従来のカメラにおける取付部材の概略断面図である。
【符号の説明】
１  カメラ、２  ＳＤカード、３  電池、４  底蓋、５  電池室、
６  電池ロック、７  ＳＤスロット、８  Ｆカバー、９  Ｒカバー、
１０  取付部材、１１  メインシャーシ、  １２  信号処理基板、
１３  レンズ鏡筒、  １４電源回路基板、１５  液晶パネル、
１６  スピーカー、  １７  鏡筒駆動回路部、１８  Ｒインナー、
１９  付勢バネ、  ２０  天板、  ４１  天板、  ４２  信号検出部
【図１】
2004325987.tif 000003
【図２】
2004325987.tif 000004
【図３】
2004325987.tif 000005
【図４】
2004325987.tif 000006
【図５】
2004325987.tif 000007
【図６】
2004325987.tif 000008
【図７】
2004325987.tif 000009
【図８】
2004325987.tif 000010
【図９】
2004325987.tif 000011